(57)【要約】【課題】  側柵を容易かつ簡便にベッドと着脱できるようにする側柵用カバー体を提供する。【解決手段】  ベッドに設けられる第１の側柵に設けられる第１のカバー部と、第１のカバー部とは別体の第２のカバー部であって、ベッドに設けられかつ第１の側柵に隣り合う第２の側柵に設けられる第２のカバー部と、第１のカバー部が第１の側柵に設けられた状態で、かつ、第２のカバー部が第２の側柵に設けられた状態で、第１のカバー部と第２のカバー部とを接続又は分離が可能な接続部と、を備える。【選択図】  図１
2014113201.tif 000002
【特許請求の範囲】
【請求項１】
ベッドの側柵を覆うベッドの側柵用カバー体であって、
ベッドに設けられる第１の側柵に設けられる第１のカバー部と、
前記第１のカバー部とは別体の第２のカバー部であって、ベッドに設けられかつ前記第１の側柵に隣り合う第２の側柵に設けられる第２のカバー部と、
前記第１のカバー部が前記第１の側柵に設けられた状態で、かつ、前記第２のカバー部が前記第２の側柵に設けられた状態で、前記第１のカバー部と前記第２のカバー部とを接続又は分離が可能な接続部と、を備えるベッドの側柵用カバー体。
【請求項２】
前記接続部は、前記第１のカバー部の端部から前記第２の側柵に向かって延出する第１の延出部と、前記第２のカバー部の端部から前記第１の側柵に向かって延出する第２の延出部と、を有し、
前記第１の延出部は第１の接続部材を有し、
前記第２の延出部は前記第１の接続部材と接続可能な第２の接続部材を有し、
前記第１のカバー部が前記第１の側柵に設けられ、かつ、前記第２のカバー部が前記第２の側柵に設けられたときに、前記第１の側柵と前記第２の側柵との間に前記接続部が位置する請求項１に記載のベッドの側柵用カバー体。
【請求項３】
前記第１のカバー部及び前記第２のカバー部の各々は、第１の平面部及び第２の平面部、を有し、
前記第１の平面部と前記第２の平面部は、互いを接合する接合端部を有し、
前記第１の側柵を構成する枠部材によって前記第１のカバー部の前記接合端部が支持された場合には、前記第１のカバー部の前記第１の平面部及び前記第２の平面部は前記接合端部から延在するとともに互いに向かい合い、
前記第２の側柵を構成する枠部材によって前記第２のカバー部の前記接合端部が支持された場合には、前記第２のカバー部の前記第１の平面部及び前記第２の平面部は前記接合端部から延在するとともに互いに向かい合い、
前記第１の側柵を構成する枠部材によって前記第１のカバー部の前記接合端部が支持され、かつ、前記第２の側柵を構成する枠部材によって前記第２のカバー部の前記接合端部が支持された場合には、前記第１の接続部材と前記第２の接続部材とが互いに接続可能に向かい合うとともに、前記第１の側柵と前記第２の側柵との間に、前記接続部が位置する請求項２に記載のベッドの側柵用カバー体。
【請求項４】
前記第１のカバー部及び前記第２のカバー部の前記第１の平面部及び前記第２の平面部は、前記接合端部に対して略平行に形成された開放端部を有し、
前記第１のカバー部の前記接合端部から前記開放端部までの長さが、前記第１の側柵の高さと同じ又は長く、
前記第２のカバー部の前記接合端部から前記開放端部までの長さが、前記第２の側柵の高さと同じ又は長い請求項３に記載のベッドの側柵用カバー体。
【請求項５】
前記第１のカバー部は、
前記第１の側柵によって係止される第１の係止端部であって、前記接合端部及び前記開放端部とは異なる方向に延在する第１の係止端部と、
前記第１の側柵によって係止される第２の係止端部であって、前記第１のカバー部の前記第１の係止端部と向かい合って形成された第２の係止端部と、を有し、
前記第１の延出部は前記第１のカバー部の前記第１の係止端部から延出し、
前記第２のカバー部は、
前記第２の側柵によって係止される第１の係止端部であって、前記接合端部及び前記開放端部とは異なる方向に延在する第１の係止端部と、
前記第２の側柵によって係止される第２の係止端部であって、前記第２のカバー部の前記第１の係止端部と向かい合って形成された第２の係止端部と、を有し、
前記第２の延出部は前記第２のカバー部の前記第１の係止端部から延出する請求項３に記載のベッドの側柵用カバー体。
【請求項６】
前記第１のカバー部の前記接合端部において前記第１の係止端部から延出する前記第１の延出部の長さは、前記第１のカバー部の前記自由端部において前記第１の係止端部から延出する前記第１の延出部の長さよりも長く、
前記第２のカバー部の前記接合端部において前記第１の係止端部から延出する前記第１の延出部の長さは、前記第２のカバー部の前記自由端部において前記第１の係止端部から延出する前記第１の延出部の長さよりも短い請求項５に記載のベッドの側柵用カバー体。
【請求項７】
前記第１のカバー部は、所定の周波数の第１の識別信号を発する第１の識別信号発生部を有し、
前記第２のカバー部は、前記第１の識別信号とは異なる周波数の第２の識別信号を発する第２の識別信号発生部を有する請求項１ないし６に記載のベッドの側柵用カバー体。
【発明の詳細な説明】
【技術分野】
【０００１】
ベッドの側柵に取り付けられるベッドの側柵用カバー体に関する。特に、ベッドの複数の側柵の各々に取り付けられるベッドの側柵用カバー体に関する。
【背景技術】
【０００２】
病院や施設などでされるベッドは、利用者の安全を確保するために側柵が設けられているものが多い。さらに、近年では、このようなベッドは、家庭でも使用されてきており、利用される範囲が広がってきている。
【０００３】
このようなベッドでは利用者に対して各種の医療行為や介護行為などの行為が行われる。ベッド２つの側部に側柵が着脱可能に設けられる。このような事情ために、側柵は、容易に取り外せるように構成する必要があり、複数の側柵、たとえば、２つの側柵に分割されている。医療行為や介護行為に応じて、いずれかの側柵がベッドから取り外され、終了後に、再び、ベッドに取り付けられる。
【０００４】
これらの複数の側柵がベッドに側部に取り付けられたときには、通常、複数の側柵の間に間隙が生ずる。これらの間隙は、側柵の着脱の作業を容易にするために必要なものである。しかしながら、複数の側柵の間に生じた間隙に利用者の身体が位置した場合には、利用者の安全性を十分に確保できない可能性も想定される。このような観点から、側柵に取り付けられる側柵用カバー体が考案されてきている。
【０００５】
ベッドの複数の側柵を覆うカバー体として、複数の側柵の全体を覆うものがある（たとえば、特許文献１参照）。これは、単一のカバー体によって複数の側柵の全体を同時に覆うものであった。
【０００６】
また、ベッドの側柵のコーナー部にスペーサを設けて、側柵の間に生ずる間隙の上部を閉塞させるものがあった（たとえば、特許文献２参照）。
【０００７】
さらに、複数の側柵の各々を別個に覆うカバー体がある（たとえば、特許文献３参照）。
【０００８】
さらにまた、側柵の間に生ずる間隙を閉塞させるためのカバー装置もあった（たとえば、特許文献４参照）。
【０００９】
また、自分の意思でベッドから離れることができる利用者もいれば、介助なしでは、ベッドから離れることができる利用者もいる。いずれの場合も、側柵は、容易に着脱可能にする必要がある。
【００１０】
さらに、点滴や検査装置などの医療行為では各種の装置を継続的に使う場合もある。このため、各種のケーブルや管を配置させる必要があり、ベッドの利用者とベッドの外側とを連通させる経路を確保する必要もある。したがって、ベッドの内側とベッドの外側とを完全に連通できないように構成するのは好ましくない。
【先行技術文献】
【特許文献】
【００１１】
【特許文献１】特開２００４−３２１２３７号公報
【特許文献２】特開２０１２−７０９６３号公報
【特許文献３】特開２０１０−２２１０１４号公報
【特許文献４】特開２００４−１９４８０９号公報
【発明の概要】
【発明が解決しようとする課題】
【００１２】
上述した特許文献１に開示されたカバー体の場合には、単一のカバー体で構成されているために、医療行為や介護行為をするたびに、カバー体全体を取り外す必要があった。このため、作業が煩雑になったり、時間を要したりせざるを得なかった。また、カバー体が大きくならざるを得ず、複数人で対応する必要があり、家庭では使用しにくく、また、病院などでも作業の効率が低下し得るものであった。
【００１３】
また、上述した特許文献２に開示されたスペーサの場合には、スペーサによって間隙の下部を十分に閉塞させることはできなかった。特に、利用者は、ベッドで横たわっているので、利用者の身体は間隙の下部に位置する可能性が高い。しかしながら、このスペーサの構成では、利用者の身体が間隙の下部に位置することを未然に防ぐことができなかった。
【００１４】
さらに、上述した特許文献３に開示されたカバー体の場合には、数の側柵の各々を別個に覆うものであったが、複数の側柵の間に生じた間隙を閉塞させることはできなかった。
【００１５】
さらにまた、上述した特許文献４に開示されたカバー装置の場合には、複数の側柵の間に生じた間隙を閉塞させることができるものの、側柵を外すためには、カバー装置も事前に外す必要あった。このため、医療行為や介護行為をするたびに、カバー装置と側柵との双方を外す必要があり、作業が煩雑にならざるを得なかった。
【００１６】
本発明は、上述の点に鑑みてなされたものであり、その目的とするところは、側柵を容易かつ簡便にベッドと着脱できるようにする側柵用カバー体を提供することにある。
【課題を解決するための手段】
【００１７】
本実施の形態による側柵用カバー体の特徴は、
ベッドの側柵を覆うベッドの側柵用カバー体であって、
ベッドに設けられる第１の側柵に設けられる第１のカバー部と、
前記第１のカバー部とは別体の第２のカバー部であって、ベッドに設けられかつ前記第１の側柵に隣り合う第２の側柵に設けられる第２のカバー部と、
前記第１のカバー部が前記第１の側柵に設けられた状態で、かつ、前記第２のカバー部が前記第２の側柵に設けられた状態で、前記第１のカバー部と前記第２のカバー部とを接続又は分離が可能な接続部と、を備えることである。
【００１８】
第１のカバー部を第１の側柵から取り外したり、第２のカバー部を第２の側柵から取り外したりすることなく、第１の側柵や第２の側柵をベッドから取り外すことができ、ベッドの利用者に対する医療行為や介護行為などを円滑にかつ迅速に行うことができ、作業を簡便にして効率を高めることができる。
【発明の効果】
【００１９】
側柵を容易かつ簡便にベッドと着脱できるようにする側柵用カバー体を提供することができる。
【図面の簡単な説明】
【００２０】
【図１】本実施の形態によるベッドの側柵用カバー体１０の概略を示す斜視図である。
【図２】本実施の形態によるベッドの側柵用カバー体１０の概略を示す正面図（ａ）及び背面図（ｂ）並びに断面図（ｃ）である。
【図３】第１のカバー部１００の正面図（ａ）及び背面図（ｂ）並びに断面図（ｃ）である。
【図４】第２のカバー部２００の正面図（ａ）及び背面図（ｂ）並びに断面図（ｃ）である。
【図５】ベッド５００の概略を示す側面図である。
【図６】ベッド５００の第１の側柵５５０及び第２の側柵５７０の概略を示す斜視図である。
【図７】第１のカバー部１００を第１の側柵５５０に取り付け、第２のカバー部２００を第２の側柵５７０に取り付けた状態を示す斜視図である。
【発明を実施するための形態】
【００２１】
以下に、実施の形態について図面に基づいて説明する。
【００２２】
＜＜＜ベッドの側柵用カバー体１０の構成の概要＞＞＞
図１は、本実施の形態によるベッドの側柵用カバー体１０の概略を示す斜視図である。また、図２は、本実施の形態によるベッドの側柵用カバー体１０の概略を示す正面図（ａ）及び背面図（ｂ）並びに断面図（ｃ）である。
【００２３】
なお、本実施の形態において、正面とはベッドの外側に向かう面を意味し、背面とは、ベッドの内側に向かう面を意味する。
【００２４】
本実施の形態による側柵用カバー体は、
ベッド（たとえば、後述するベッド５００など）の側柵を覆うベッドの側柵用カバー体（たとえば、後述する側柵用カバー体１０など）であって、
ベッドに設けられる第１の側柵（たとえば、後述する第１の側柵５５０など）に設けられる第１のカバー部（たとえば、後述する第１のカバー部１００など）と、
前記第１のカバー部とは別体の第２のカバー部（たとえば、後述する第２のカバー部２００など）であって、ベッドに設けられかつ前記第１の側柵に隣り合う第２の側柵（たとえば、後述する第２の側柵５７０など）に設けられる第２のカバー部（たとえば、後述する第２のカバー部２００など）と、
前記第１のカバー部が前記第１の側柵に設けられた状態で、かつ、前記第２のカバー部が前記第２の側柵に設けられた状態で、前記第１のカバー部と前記第２のカバー部とを接続又は分離が可能な接続部（たとえば、後述する接続部３００など）と、を備える。
【００２５】
本実施の形態による側柵用カバー体は、ベッドの側柵を覆うためのカバーである。この側柵用カバー体は、第１のカバー部と第２のカバー部と接続部とを備える。
【００２６】
第１のカバー部は、ベッドに設けられる第１の側柵に設けられる。
【００２７】
第２のカバー部は、第１のカバー部とは別体に形成されている。第２のカバー部は、ベッドに設けられる第２の側柵に設けられる。第２の側柵は、第１の側柵に隣り合ってベッドに設けられる。
【００２８】
第１の側柵及び第２の側柵は、ベッドの同じ側部に取り付けられるのが好ましい。たとえば、ベッドは、利用者に対して右側に位置する右側側部と左側に位置する左側側部との２つの側部を有する。右側側部と左側側部とはベッドの長手方向に沿っている。たとえば、第１の側柵及び第２の側柵は、右側側部において隣り合うように設けられたり、左側側部において隣り合うように設けられたりする。このように、第１の側柵及び第２の側柵は、ベッドの同じ側部に取り付けられればよい。
【００２９】
接続部は、第１のカバー部と第２のカバー部との接続又は分離を可能にする。すなわち、第１のカバー部と第２のカバー部とは、接続部によって接続されたり、分離されたりすることができる。接続又は分離は、第１のカバー部が第１の側柵に設けられたままの状態で、かつ、第２のカバー部が第２の側柵に設けられたままの状態で行うことができる。
【００３０】
このように、第１のカバー部が第１の側柵に設けられたままの状態で、かつ、第２のカバー部が第２の側柵に設けられたままの状態で、第１のカバー部と第２のカバー部とを接続したり分離したりすることができる。したがって、第１のカバー部を第１の側柵から取り外したり、第２のカバー部を第２の側柵から取り外したりすることなく、第１のカバー部と第２のカバー部とを接続したり分離したりすることができる。このため、第１のカバー部を第１の側柵から取り外したり、第２のカバー部を第２の側柵から取り外したりすることなく、第１の側柵や第２の側柵をベッドから取り外すことができ、ベッドの利用者に対する医療行為や介護行為などを円滑にかつ迅速に行うことができ、作業を簡便にして効率を高めることができる。
【００３１】
さらに、本実施の形態による側柵用カバー体は、
前記接続部が、前記第１のカバー部の端部（たとえば、後述する接続端部１１２ａ及び１１２ｂなど）から前記第２の側柵に向かって延出する第１の延出部（たとえば、後述する延出部１０８ａ及び１０８ｂなど）と、前記第２のカバー部の端部（たとえば、後述する接続端部２１２ａ及び２１２ｂなど）から前記第１の側柵に向かって延出する第２の延出部（たとえば、後述する延出部２０８ａ及び２０８ｂなど）と、を有し、
前記第１の延出部は第１の接続部材（たとえば、後述する接続部材１１４など）を有し、
前記第２の延出部は前記第１の接続部材と接続可能な第２の接続部材（たとえば、後述する接続部材２１４など）を有し、
前記第１のカバー部が前記第１の側柵に設けられ、かつ、前記第２のカバー部が前記第２の側柵に設けられたときに、前記第１の側柵と前記第２の側柵との間に前記接続部が位置する。
【００３２】
側柵用カバー体の接続部は、第１の延出部と第２の延出部とを有する。第１の延出部は、第１のカバー部の端部から第２の側柵に向かって延出する。第２の延出部は、第２のカバー部の端部から第１の側柵に向かって延出する。
【００３３】
第１の延出部は第１の接続部材を有する。第２の延出部は第２の接続部材を有する。第１の延出部と第２の延出部と互いに接続可能である。さらに、第１の延出部と第２の延出部とは互いに接続又は分離が可能のものが好ましい。
【００３４】
第１のカバー部が第１の側柵に設けられた状態であり、第２のカバー部が第２の側柵に設けられた状態であるときに、第１の側柵と第２の側柵との間に接続部が位置する。
【００３５】
接続部は、第１の側柵と第２の側柵との間に位置するので、第１の側柵と第２の側柵との間に生ずる間隙を接続部によって閉塞することができる。すなわち、第１の側柵と第２の側柵との間に生ずる間隙を、第１のカバー部の第１の延出部と第２のカバー部の第２の延出部とによって塞ぐことができる。このため、第１の側柵と第２の側柵との間に生ずる間隙に、利用者の身体が位置することを防止することができる。
【００３６】
第１の側柵と第２の側柵との間に接続部（第１の延出部及び第２の延出部）が位置する。すなわち、第１の側柵と第２の側柵との間に生ずる間隙に、第１の接続部材及び第２の接続部材が位置する。このため、第１の接続部材と第２の接続部材との接続及び分離の作業を容易にすることができ、作業を簡便にして効率を高めることができる。
【００３７】
さらにまた、本実施の形態による側柵用カバー体は、
前記第１のカバー部及び前記第２のカバー部の各々は、第１の平面部（たとえば、後述する第１の平面部１０２や第１の平面部２０２など）及び第２の平面部（たとえば、後述する第２の平面部１０４や第２の平面部２０４など）、を有し、
前記第１の平面部と前記第２の平面部は、互いを接合する接合端部（たとえば、後述する接合端部１０６や接合端部２０６など）を有し、
前記第１の側柵を構成する枠部材（たとえば、後述する上端部５５８など）によって前記第１のカバー部の前記接合端部（たとえば、後述する接合端部１０６など）が支持された場合には、前記第１のカバー部の前記第１の平面部（たとえば、後述する第１の平面部１０２など）及び前記第２の平面部（たとえば、後述する第２の平面部１０４など）は前記接合端部から延在するとともに互いに向かい合い、
前記第２の側柵を構成する枠部材（たとえば、後述する上端部５７８など）によって前記第２のカバー部の前記接合端部（たとえば、後述する接合端部２０６など）が支持された場合には、前記第２のカバー部の前記第１の平面部（たとえば、後述する第１の平面部２０２など）及び前記第２の平面部（たとえば、後述する第２の平面部２０４など）は前記接合端部から延在するとともに互いに向かい合い、
前記第１の側柵を構成する枠部材によって前記第１のカバー部の前記接合端部が支持され、かつ、前記第２の側柵を構成する枠部材によって前記第２のカバー部の前記接合端部が支持された場合には、前記第１の接続部材（たとえば、後述する接続部材１１４など）と前記第２の接続部材（たとえば、後述する接続部材２１４など）とが互いに接続可能に向かい合うとともに、前記第１の側柵と前記第２の側柵との間に、前記接続部が位置する請求項２に記載のベッドの側柵用カバー体。
【００３８】
第１のカバー部は、第１の平面部及び第２の平面部を有する。同様に、第２のカバー部は、第１の平面部及び第２の平面部を有する。
【００３９】
第１のカバー部の第１の平面部と第２の平面部は、互いを接合する接合端部を有する。同様に、第２のカバー部の第１の平面部と第２の平面部は、互いを接合する接合端部を有する。
【００４０】
第１の側柵を構成する枠部材によって第１のカバー部の接合端部が支持された場合には、第１のカバー部の第１の平面部及び第２の平面部は接合端部から延在するとともに互いに向かい合う。第２の側柵を構成する枠部材によって第２のカバー部の接合端部が支持された場合には、第２のカバー部の第１の平面部及び第２の平面部は接合端部から延在するとともに互いに向かい合う。
【００４１】
第１の側柵を構成する枠部材によって第１のカバー部の接合端部が支持され、かつ、第２の側柵を構成する枠部材によって第２のカバー部の接合端部が支持された状態となった場合には、第１の接続部材と第２の接続部材とが互いに接続可能に向かい合う。
【００４２】
第１の接続部材と第２の接続部材とが互いに接続可能に向かい合うので、第１のカバー部と第２のカバー部との位置決めをする必要がなく、第１の接続部材と第２の接続部材との接続や分離の作業を容易にすることができ、作業の効率を高めることができる。
【００４３】
また、第１の側柵を構成する枠部材によって第１のカバー部の接合端部が支持され、かつ、第２の側柵を構成する枠部材によって第２のカバー部の接合端部が支持された状態となった場合には、第１の側柵と第２の側柵との間に、接続部が位置する。
【００４４】
第１の側柵と第２の側柵との間に接続部が位置するので、第１の側柵と第２の側柵との間に生ずる間隙を、第１のカバー部の第１の延出部と第２のカバー部の第２の延出部とによって塞ぐことができる。このため、第１の側柵と第２の側柵との間に生ずる間隙に、利用者の身体が位置することを防止することができる。
【００４５】
さらに、本実施の形態による側柵用カバー体は、
前記第１のカバー部及び前記第２のカバー部の前記第１の平面部及び前記第２の平面部が、前記接合端部に対して略平行に形成された開放端部（たとえば、後述する自由端部１１０（１１０ａ及び１１０ｂ）や自由端部２１０（２１０ａ及び２１０ｂ））を有し、
前記第１のカバー部の前記接合端部から前記開放端部までの長さ（たとえば、後述する接合端部１０６から自由端部１１０（１１０ａ及び１１０ｂ）までの長さなど）が、第１の側柵の高さ（たとえば、後述するサイドフレーム５１８から上端部５５８までの長さなど）と同じ又は長く、
前記第２のカバー部の前記接合端部から前記開放端部までの長さ（たとえば、後述する接合端部２０６から自由端部２１０（２１０ａ及び２１０ｂ）までの長さなど）が、第２の側柵の高さ（たとえば、後述するサイドフレーム５１８から上端部５７８までの長さなど）と同じ又は長い。
【００４６】
第１のカバー部の第１の平面部及び第２の平面部は開放端部を有する。この開放端部は、接合端部に対して略平行に形成されている。同様に、第２のカバー部の第１の平面部及び第２の平面部は開放端部を有する。この開放端部は、接合端部に対して略平行に形成されている。
【００４７】
第１のカバー部の接合端部から開放端部までの長さは、第１の側柵の高さと同じ又は長い。このため、第１のカバー部を第１の側柵に取り付けたときに、第１の側柵の下部を的確に閉塞させることができる。
【００４８】
第２のカバー部の接合端部から開放端部までの長さは、第２の側柵の高さと同じ又は長い。このため、第２のカバー部を第２の側柵に取り付けたときに、第２の側柵の下部を的確に閉塞させることができる。
【００４９】
このように、第１のカバー部の接合端部から開放端部までの長さが、第１の側柵の高さと同じ又は長く、第２のカバー部の接合端部から開放端部までの長さが、第２の側柵の高さと同じ又は長い。したがって、第１のカバー部と第２のカバー部を接続したときには、第１の側柵と第２の側柵との間に生ずる間隙の下部も第１のカバー部と第２のカバー部（接続部）によって閉塞することができる。
【００５０】
このような構成によって、第１の側柵の下部と、第２の側柵の下部と、第１の側柵と第２の側柵との間に生ずる間隙の下部との３つの下部を閉塞させることができ、利用者の身体が下部に位置することを防止することができる。
【００５１】
さらにまた、本実施の形態による側柵用カバー体は、
前記第１のカバー部が、
前記第１の側柵によって係止される第１の係止端部（たとえば、後述する第１の係止端部１３０など）であって、前記接合端部及び前記開放端部とは異なる方向に延在する第１の係止端部と、
前記第１の側柵によって係止される第２の係止端部であって、前記第１のカバー部の前記第１の係止端部と向かい合って形成された第２の係止端部（たとえば、後述する第２の係止端部１４０など）と、を有し、
前記第１の延出部は前記第１のカバー部の前記第１の係止端部から延出し、
前記第２のカバー部が、
前記第２の側柵によって係止される第１の係止端部であって、前記接合端部及び前記開放端部とは異なる方向に延在する第１の係止端部（たとえば、後述する第１の係止端部２３０など）と、
前記第２の側柵によって係止される第２の係止端部であって、前記第２のカバー部の前記第１の係止端部と向かい合って形成された第２の係止端部（たとえば、後述する第２の係止端部２４０など）と、を有し、
前記第２の延出部は前記第２のカバー部の前記第１の係止端部から延出する。
【００５２】
第１のカバー部は、第１の係止端部と第２の係止端部とを有する。
【００５３】
第１のカバー部の第１の係止端部は第１の側柵によって係止される。第１の係止端部は、接合端部及び開放端部とは異なる方向に延在する。第１のカバー部の第２の係止端部は第２の側柵によって係止される。第２の係止端部は、接合端部及び開放端部とは異なる方向に延在する。第１の延出部は第１のカバー部の第１の係止端部から延出する。
【００５４】
第１のカバー部の第１の係止端部と第２の係止端部によって、第１のカバー部を第１の側柵に係止することができる。これにより、第１のカバー部が第１の側柵から外れたりずれたりすることを防止でき、第１のカバー部の第１の側柵への取り付け状態を維持することができる。
【００５５】
また、第１の延出部は第１のカバー部の第１の係止端部から延出するので、第１の延出部を第２の延出部に向かって的確に延出させることができる。
【００５６】
第２のカバー部の第１の係止端部は第１の側柵によって係止される。第１の係止端部は、接合端部及び開放端部とは異なる方向に延在する。第２のカバー部の第２の係止端部は第２の側柵によって係止される。第２の係止端部は、接合端部及び開放端部とは異なる方向に延在する。第２の延出部は第２のカバー部の第１の係止端部から延出する。
【００５７】
第２のカバー部の第１の係止端部と第２の係止端部によって、第２のカバー部を第２の側柵に係止することができる。これにより、第２のカバー部が第２の側柵から外れたりずれたりすることを防止でき、第２のカバー部の第２の側柵への取り付け状態を維持することができる。
【００５８】
また、第２の延出部は第２のカバー部の第１の係止端部から延出するので、第２の延出部を第１の延出部に向かって的確に延出させることができる。
【００５９】
さらに、本実施の形態による側柵用カバー体は、
前記第１のカバー部の前記接合端部において前記第１の係止端部から延出する前記第１の延出部の長さは、前記第１のカバー部の前記自由端部において前記第１の係止端部から延出する前記第１の延出部の長さよりも長く、
前記第２のカバー部の前記接合端部において前記第１の係止端部から延出する前記第１の延出部の長さは、前記第２のカバー部の前記自由端部において前記第１の係止端部から延出する前記第１の延出部の長さよりも短い。
【００６０】
第１のカバー部は、接合端部において第１の係止端部から延出する第１の延出部の長さが、第１のカバー部の自由端部において第１の係止端部から延出する第１の延出部の長さよりも長く形成されている。
【００６１】
また、第２のカバー部は、接合端部において第１の係止端部から延出する第１の延出部の長さは、第２のカバー部の自由端部において第１の係止端部から延出する前記第１の延出部の長さよりも短く形成されている。
【００６２】
このように、第１のカバー部では、接合端部における第１の延出部の長さが、自由端部における第１の延出部の長さよりも長く、第２のカバー部では、接合端部における第１の延出部の長さが、自由端部における第１の延出部の長さよりも短く形成されている。したがって、第１のカバー部の第１の延出部における長さの関係と、第２のカバー部の第１の延出部における長さの関係とについて、長短が逆になっている。このため、第１のカバー部と第２のカバー部とを容易に識別することができ、第１のカバー部と第２のカバー部とを対にする作業の効率を高めることができる。
【００６３】
さらに、本実施の形態による側柵用カバー体は、
前記第１のカバー部が、所定の周波数の第１の識別信号を発する第１の識別信号発生部を有し、
前記第２のカバー部が、前記第１の識別信号とは異なる周波数の前記第２の識別信号を発する第２の識別信号発生部を有する。
【００６４】
第１のカバー部は、所定の周波数の第１の識別信号を発する第１の識別信号発生部を有する。第２のカバー部は、第１の識別信号とは異なる周波数の第２の識別信号を発する第２の識別信号発生部を有する。
【００６５】
このように、第１のカバー部は第１の識別信号発生部を有し、第２のカバー部は第２の識別信号発生部を有する。このため、第１のカバー部と第２のカバー部とを容易に識別することができ、第１のカバー部と第２のカバー部とを対にする作業の効率を高めることができる。
【００６６】
第１の識別信号発生部から発せられる第１の識別信号や、第２の識別信号発生部から発せられる第２の識別信号は、所定の受信装置によって信号を受信して識別することができる。
【００６７】
たとえば、第１の識別信号及び第２の識別信号が光である場合には、カメラなどの受光装置を用いることで、第１の識別信号と第２の識別信号とを判別することができ、第１のカバー部と第２のカバー部とを識別することができる。
【００６８】
また、第１の識別信号及び第２の識別信号が可視光である場合には、視認することによっても、第１の識別信号と第２の識別信号とを判別することができ、第１のカバー部と第２のカバー部とを識別することができる。
【００６９】
＜＜＜ベッドの側柵用カバー体１０の具体的な構成＞＞＞
図１及び図２に示すように、本実施の形態によるベッドの側柵用カバー体１０は、第１のカバー部１００と第２のカバー部２００とを備える。なお、後述するように、第１のカバー部１００は、ベッド５００の第１の側柵５５０に着脱可能に取り付けられて使用される。同様に、第２のカバー部２００は、ベッド５００の第２の側柵５７０に着脱可能に取り付けられて使用される。なお、図２（ｃ）に示す断面図において、括弧の外側に付した符号は、第１のカバー部１００の断面におけるもので、括弧の内側に付した符号は、第２のカバー部２００の断面におけるものである。
【００７０】
＜＜第１のカバー部１００及び第２のカバー部２００＞＞
第１のカバー部１００及び第２のカバー部２００は、可撓性を有する素材、たとえば、布などの素材からなる。素材は、一枚からなるものでも、裏地などの各種の布を複数枚重ね合わせたものでもよい。一枚からなる場合には、柔軟に構成することができで取り扱いを容易にすることができる。また、複数枚の布を重ね合わせることによって、丈夫に構成することができる。
【００７１】
なお、第１のカバー部１００及び第２のカバー部２００は、弾力性を有する素材で構成してもよい。衝撃を吸収することができる。第１の側柵５５０や第２の側柵５７０よりも若干小さく形成したときには、第１の側柵５５０や第２の側柵５７０から外れにくくすることができる。
【００７２】
図１ないし図４に示すように、第１のカバー部１００及び第２のカバー部２００は、正面視で略台形の形状を有する。また、図２（ｃ）、図３（ｃ）及び図４（ｃ）に示すように、第１のカバー部１００及び第２のカバー部２００の断面は、略Ｕ字状の形状を有する。
【００７３】
なお、上述したように、第１のカバー部１００及び第２のカバー部２００は、可撓性を有する素材によって構成されており、図１ないし図４は、いずれも、第１のカバー部１００及び第２のカバー部２００を略平面状に延在させた状態を示す。
【００７４】
図１及び図２（ａ）に示すように、第１のカバー部１００及び第２のカバー部２００は、別体に形成されている。ベッドの側柵用カバー体１０は、接続部３００を有する。
【００７５】
第１のカバー部１００及び第２のカバー部２００は、接続部３００によって着脱可能に接続することができる。図１及び図２（ａ）に示すように、第１のカバー部１００及び第２のカバー部２００は、接続部３００によって接続されたときには、一体のベッドの側柵用カバー体１０となる。一体のベッドの側柵用カバー体１０となったときには、側柵用カバー体１０は、正面視で略長方形の形状を有する。また、図２（ｃ）に示すように、一体のベッドの側柵用カバー体１０となった場合でも、ベッドの側柵用カバー体１０の断面は、第１のカバー部１００及び第２のカバー部２００の断面と共通しており、略Ｕ字状の形状を有する。
【００７６】
＜＜第１のカバー部１００＞＞
図３は、第１のカバー部１００の正面図（ａ）及び背面図（ｂ）並びに断面図（ｃ）である。
＜第１の平面部１０２及び第２の平面部１０４＞
図３に示すように、第１のカバー部１００は、第１の平面部１０２及び第２の平面部１０４を有する。第１の平面部１０２及び第２の平面部１０４が、第１のカバー部１００のおおよその部分を構成する。第１のカバー部１００が第１の側柵５５０に取り付けられたときには、第１の平面部１０２及び第２の平面部１０４は、共に、略平面状の形状となるとともに、互いに向かい合う。第１のカバー部１００が第１の側柵５５０に取り付けられたときには、第１のカバー部１００は第１の側柵５５０によって懸装され、第１の平面部１０２及び第２の平面部１０４は懸垂する。
【００７７】
なお、本実施の形態において、懸装とは、垂れ下がった状態となって取り付けることや取り付けられることを意味する。また、懸垂とは、物が垂れ下がることを意味する。なお、懸装も懸垂も、少なくとも一部が垂れ下がっていればよく、障害物によって、その他の部分が垂れ下がっていない場合も含まれていてもよい。
【００７８】
第１のカバー部１００が第１の側柵５５０に取り付けられて、第１の平面部１０２及び第２の平面部１０４が懸垂したときには、第１の平面部１０２及び第２の平面部１０４は、第１の側柵５５０の最下部に到達する。
【００７９】
＜接合端部１０６＞
図３に示すように、第１のカバー部１００は接合端部１０６を有する。接合端部１０６は、第１の平面部１０２と第２の平面部１０４とを互いに接合する。接合端部１０６は、略直線状の形状を有する。本実施の形態で、第１のカバー部１００が第１の側柵５５０に取り付けられたときには、接合端部１０６は、第１のカバー部１００の上端に位置し上端部となる。
【００８０】
本実施の形態では、第１の平面部１０２及び第２の平面部１０４並びに接合端部１０６は、一体的に形成されている。なお、最終的に第１のカバー部１００として一体的に形成されていればよく、第１の平面部１０２及び第２の平面部１０４並びに接合端部１０６の各々を別体に構成し、これらを縫い合わせるなどの接合処理によって、最終的に一体的に形成するようにしてもよい。
【００８１】
後述するように、第２のカバー部２００が第２の側柵５７０に取り付けられたときには、接合端部１０６と同様に、接合端部２０６は上端に位置し上端部となる。さらに、本実施の形態では、第１の側柵５５０と第２の側柵５７０とは、ベッド５００に並置される。すなわち、第１の側柵５５０と第２の側柵５７０とは、略同一の平面に含まれるようにベッド５００に取り付けられる。この場合に、第１のカバー部１００が第１の側柵５５０に取り付けられ、第２のカバー部２００が第２の側柵５７０に取り付けられ、第１のカバー部１００及び第２のカバー部２００が、接続部３００によって接続されたときには、接合端部１０６及び接合端部２０６は、共に上端部になるとともに、略直線状に位置する。
【００８２】
＜自由端部１１０（１１０ａ及び１１０ｂ）＞
図３に示すように、第１のカバー部１００は自由端部１１０を有する。第１の平面部１０２は自由端部１１０ａを有し、第２の平面部１０４は自由端部１１０ｂを有する。自由端部１１０ａ及び自由端部１１０ｂは、共に、略直線状の形状を有する。本実施の形態で、第１のカバー部１００が第１の側柵５５０に取り付けられたときには、自由端部１１０ａ及び自由端部１１０ｂは、第１のカバー部１００の下端に位置し下端部となる。
【００８３】
＜延出部１０８（１０８ａ及び１０８ｂ）＞
図３に示すように、第１のカバー部１００は、延出部１０８（１０８ａ及び１０８ｂ）を有する。本実施の形態では、延出部１０８ａは、第１の平面部１０２の一部であり、延出部１０８ｂは、第２の平面部１０４の一部である。したがって、延出部１０８ａ及び延出部１０８ｂは、接合端部１０６によって互いに接合されている。後述するように、第１のカバー部１００には、第１の係止端部１３０が形成されている。延出部１０８（１０８ａ及び１０８ｂ）は、第１の係止端部１３０から延出して延在する部分である。
【００８４】
具体的には、第１の平面部１０２において、第１の係止端部１３０から延出して延在する部分が延出部１０８ａである。同様に、第２の平面部１０４において、第１の係止端部１３０から延出して延在する部分が延出部１０８ｂである。本実施の形態において、延在とは延びて存在することを意味する。
【００８５】
延出部１０８（１０８ａ及び１０８ｂ）は、第１の側柵５５０と第２の側柵５７０との間に生ずる間隙に応じて適宜定めればよい。第１の側柵５５０と第２の側柵５７０との間の間隙が長い場合には、延出部１０８（１０８ａ及び１０８ｂ）も長くすればよい。また、第１の側柵５５０と第２の側柵５７０との間の間隙が短い場合には、延出部１０８（１０８ａ及び１０８ｂ）も短くすればよい。したがって、第１の側柵５５０と第２の側柵５７０との間に生ずる間隙が短い場合は、延出部１０８（１０８ａ及び１０８ｂ）は、接続部材１１４を取り付けるための部材として機能する。
【００８６】
さらに、第１の側柵５５０と第２の側柵５７０との間に生ずる間隙が極端に短い場合には、後述するスライドファスナー１１６の第１のエレメント１１８のテープ状の基材１１９を延出部１０８（１０８ａ及び１０８ｂ）とすることができる。このように構成した場合には、延出部１０８ａは、第１の平面部１０２の一部ではなくなるとともに、延出部１０８ｂは、第２の平面部１０４の一部ではなくなる。しかしながら、延出部１０８（１０８ａ及び１０８ｂ）としてテープ状の基材１１９が、第１の係止端部１３０から延出して延在する部分であればよい。
【００８７】
＜接続端部１１２ａ及び接続端部１１２ｂ＞
延出部１０８ａは接続端部１１２ａを有する。延出部１０８ｂは接続端部１１２ｂを有する。接続端部１１２ａ及び接続端部１１２ｂは、共に、略同一の形状、具体的には、略直線状に形成されている。接続端部１１２ａ及び接続端部１１２ｂは、互いに向かい合うように形成されている。
【００８８】
図３（ａ）に示すように、延出部１０８ａにおいては、接合端部１０６（上端部）で第１の係止端部１３０から延出する部分の長さは、自由端部１１０ａ（下端部）で第１の係止端部１３０から延出する部分の長さよりも長い。同様に、図３（ｂ）に示すように、延出部１０８ｂにおいては、接合端部１０６（上端部）で第１の係止端部１３０から延出する部分の長さは、自由端部１１０ｂ（下端部）で第１の係止端部１３０から延出する部分の長さよりも長い。
【００８９】
このように、延出部１０８ａでも延出部１０８ｂでも、接合端部１０６（上端部）で第１の係止端部１３０から延出する部分の長さは、自由端部１１０ａ（下端部）で第１の係止端部１３０から延出する部分の長さよりも長くなるように形成されている。このようにすることで、第１のカバー部１００が第１の側柵５５０に取り付けられたときには、延出部１０８の上端部（接合端部１０６）は、下端部（自由端部１１０）よりも突出する。なお、後述するように、第２のカバー部２００が第１の側柵５５０に取り付けられたときには、延出部２０８の下端部（自由端部２１０）が、上端部（接合端部２０６）よりも突出する。すなわち、第１のカバー部１００と第２のカバー部２００とでは、上端部の長さと下端部の長さとの長短が逆になるように形成されている。このようにすることで、第１のカバー部１００と第２のカバー部２００との相違を明確に示すことができる。
【００９０】
＜接続部材１１４＞
接続端部１１２ａ及び接続端部１１２ｂには、長手方向に沿って、接続部材１１４が設けられている。本実施の形態では、接続部材１１４として、スライドファスナー（線ファスナー）１１６が取り付けられている。スライドファスナー１１６は、接続端部１１２ａの自由端部１１０ａ側のファスナー端部１２２ａから、接合端部１０６を経由して、接続端部１１２ｂの自由端部１１０ｂ側のファスナー端部１２２ｂに至るまで、取り付けられている。
【００９１】
スライドファスナー１１６は、第１のエレメント（務歯）１１８とスライダー１２０とを有する。なお、後述するように、第２のカバー部２００の接続部材２１４であるスライドファスナー２１６は、第２のエレメント（務歯）２１８を有する。スライドファスナー２１６には、スライダーは設けられていない。
【００９２】
第１のカバー部１００の第１のエレメント１１８の端部と、第２のカバー部２００の第２のエレメント２１８の端部とを掛止させ、第１のエレメント１１８と第２のエレメント２１８とに沿ってスライダー１２０を第１の方向に移動させることによって、第１のエレメント１１８と第２のエレメント２１８とを咬合させることができる。本実施の形態で、咬合とは、互いに噛み合った状態に合わせることを意味する。第１のエレメント１１８と第２のエレメント２１８とを咬合させたときには、第１のカバー部１００と第２のカバー部２００とを接続させた状態にすることができる。
【００９３】
一方、第１のエレメント１１８と第２のエレメント２１８とに沿ってスライダー１２０を第１の方向とは逆の第２の方向に移動させることによって、第１のエレメント１１８と第２のエレメント２１８との咬合を解除することができる。第１のエレメント１１８と第２のエレメント２１８との咬合を解除することによって、第１のカバー部１００と第２のカバー部２００とを分離した状態にすることができる。
【００９４】
具体的には、第１のカバー部１００と第２のカバー部２００とを連結して接続させる場合には、スライダー１２０を、ファスナー端部１２２ｂから、接合端部１０６を経由して、ファスナー端部１２２ａまで移動させる。これにより、第１のエレメント１１８と第２のエレメント２１８とを咬合させることができ、第１のカバー部１００と第２のカバー部２００とを連結することができる。これにより、図１や図２に示すように、一体のベッドの側柵用カバー体１０にすることができる。
【００９５】
また、第１のカバー部１００と第２のカバー部２００とを分離させる場合には、スライダー１２０を、ファスナー端部１２２ａから、接合端部１０６を経由して、ファスナー端部１２２ｂまで移動させる。これにより、第１のエレメント１１８と第２のエレメント２１８との咬合を解除することができ、第１のカバー部１００と第２のカバー部２００とを分離することができる。これにより、一体のベッドの側柵用カバー体１０から、別体の第１のカバー部１００と第２のカバー部２００とにすることができる。
【００９６】
上述したように、第１のカバー部１００と第２のカバー部２００とを連結して、一体のベッドの側柵用カバー体１０にした場合には、スライダー１２０はファスナー端部１２２ａに位置することになる。すなわち、スライダー１２０は、ベッド５００の外側に位置することになる。スライダー１２０をベッド５００の外側に位置させることによって、医療従事者や施設の担当者などがスライダー１２０の操作をしやすくすることができ、各種の作業を簡便にすることができる。
【００９７】
また、スライダー１２０をベッド５００の外側に位置させることで、ベッドの利用者はスライダー１２０を操作しにくくすることができる。これにより、第１のカバー部１００と第２のカバー部２００との連結状態を保持することができ、ベッドの利用者の安全を確保することができる。
【００９８】
上述したように、第１のカバー部１００が第１の側柵５５０に取り付けられて、第１の平面部１０２及び第２の平面部１０４が懸垂したときには、第１の平面部１０２及び第２の平面部１０４は、第１の側柵５５０の最下部に到達する。すなわち、第１の平面部１０２は、接合端部１０６から自由端部１１０ａまでの長さが、第１の側柵５５０の高さよりも長くなるように形成されている。同様に、第２の平面部１０４は、接合端部１０６から自由端部１１０ｂまでの長さが、第１の側柵５５０の高さと同じ又は長くなるように形成されている。
【００９９】
後述する図５及び図６に示すように、第１の側柵５５０は、ベッド５００のサイドフレーム５１８に取り付けられる。第１の側柵５５０は、上端部５５８を有する。第１のカバー部１００は上端部５５８から懸垂される。本実施の形態において、第１の側柵５５０の高さとは、サイドフレーム５１８から上端部５５８までの長さをいう。したがって、第１の平面部１０２の接合端部１０６から自由端部１１０ａまでの長さが、サイドフレーム５１８から上端部５５８までの長さと同じ又は長くなるように、第１のカバー部１００は形成されている。同様に、第２の平面部１０４の接合端部１０６から自由端部１１０ｂまでの長さは、サイドフレーム５１８から上端部５５８までの長さと同じ又は長くなるように、第１のカバー部１００は形成されている。
【０１００】
このようにすることで、第１のカバー部１００が第１の側柵５５０に取り付けられたときには、第１の側柵５５０の下部に間隙が生ずることはない。
【０１０１】
＜第１の係止端部１３０＞
第１のカバー部１００は、第１の係止端部１３０を有する。本実施の形態では、第１の係止端部１３０は、第１の平面部１０２と第２の平面部１０４とを互いに縫い合わせることによって形成される。具体的には、第１の平面部１０２と第２の平面部１０４とを、接合端部１０６（上端部）から自由端部１１０（下端部）まで、縫い合わせることによって形成される。
【０１０２】
第１のカバー部１００が第１の側柵５５０に取り付けられたときには、第１の係止端部１３０は、第１の側柵５５０の第１の側端部５６０によって係止される。これにより、第１のカバー部１００が、第１の側柵５５０に対して変位したり、第１の側柵５５０から外れたりすることを防止することができる。
【０１０３】
上述したように、第１のカバー部１００は、延出部１０８（１０８ａ及び１０８ｂ）を有する。延出部１０８は、第１の係止端部１３０から延出して延在する部分である。すなわち、第１の係止端部１３０によって、延出部１０８を画定することができる。
【０１０４】
＜第２の係止端部１４０＞
第１のカバー部１００は、第２の係止端部１４０を有する。本実施の形態では、第２の係止端部１４０も、第１の平面部１０２と第２の平面部１０４とを互いに縫い合わせることによって形成される。具体的には、第１のカバー部１００の接続端部１１２の反対側の端部において、第１の平面部１０２と第２の平面部１０４とを、接合端部１０６（上端部）から自由端部１１０（下端部）まで、縫い合わせることによって形成される。
【０１０５】
第１のカバー部１００が第１の側柵５５０に取り付けられたときには、第２の係止端部１４０は、第１の側柵５５０の第２の側端部５６２によって係止される。これにより、第１のカバー部１００が、第１の側柵５５０に対して変位したり、第１の側柵５５０から外れたりすることを防止することができる。
【０１０６】
＜第１の係止端部１３０及び第２の係止端部１４０による係止＞
上述したように、第１のカバー部１００は、第１の係止端部１３０と第２の係止端部１４０と接合端部１０６とを有する。これらの第１の係止端部１３０と第２の係止端部１４０と接合端部１０６とによって、第１のカバー部１００を略袋状の形状に形成することができる。また、自由端部１１０（１１０ａ及び１１０ｂ）によって、第１のカバー部１００の開口１６０とすることができる。
【０１０７】
すなわち、第１のカバー部１００を開口１６０から第１の側柵５５０の上端部５５８に被せていくことによって、第１のカバー部１００を第１の側柵５５０に取り付けることができる。
【０１０８】
また、第１のカバー部１００を第１の側柵５５０に取り付けたときには、第１の係止端部１３０及び第２の係止端部１４０によって、第１のカバー部１００は第１の側柵５５０によって係止される。したがって、第１のカバー部１００を第１の側柵５５０に取り付けた状態で、第１のカバー部１００の第１のエレメント１１８と第２のカバー部２００の第２のエレメント２１８との咬合を解除することができる。すなわち、第１のカバー部１００を第１の側柵５５０に取り付けた状態のままで、第１のカバー部１００と第２のカバー部２００とを分離することができる。したがって、第１のカバー部１００を第１の側柵５５０に取り付けた状態で、第１の側柵５５０をベッド５００から外すことができる。
【０１０９】
このため、第１のカバー部１００を取り外すことなく第１の側柵５５０をベッド５００から外すことができ、作業が煩雑になることを防止でき、作業の効率を高めることができる。
【０１１０】
＜＜係止部材１５０及び１５２＞＞
第１の平面部１０２は、下部に第１の係止部材１５０を有する。第２の平面部１０４は、下部に第２の係止部材１５２を有する。第１の係止部材１５０と第２の係止部材１５２とは互いに係止し合う。図２及び図３に示すように、第１の係止部材１５０は第１の平面部１０２の下部に、複数個、たとえば、３個設けられており、第２の係止部材１５２は第２の平面部１０４の下部に、複数個、たとえば、３個設けられている。これらの複数の第１の係止部材１５０及び第２の係止部材１５２は、互いに対応する位置に設けられている。
【０１１１】
第１の係止部材１５０及び第２の係止部材１５２は、第１の側柵５５０を構成する枠用パイプ５５６などの各種のパイプの間に形成された間隙に位置するように設ければよい。パイプの間に形成された間隙を介して、第１の係止部材１５０と第２の係止部材１５２とを係止させることができる。
【０１１２】
第１の係止部材１５０及び第２の係止部材１５２は、たとえば、マグネットなどにすることができる。たとえば、第１の係止部材１５０のマグネットは、第２の係止部材１５２に向かってＳ極になるようにし、第２の係止部材１５２のマグネットは、第１の係止部材１５０に向かってＮ極になるようにする。このようにすることで、マグネットのＳ極とＮ極とが向かい合うように配置することができ、第１の係止部材１５０及び第２の係止部材１５２が係止するようにできる。第１の係止部材１５０及び第２の係止部材１５２の係止によって、第１の平面部１０２と第２の平面部１０４と係合させることができる。第１の平面部１０２と第２の平面部１０４とを係合させることによって、第１のカバー部１００が捲れたりずれたりすることを防止できる。これにより、第１の側柵５５０の下部や、第１の側柵５５０及び第２の側柵５７０の間隙Ａの下部が開放することを防止することができる。下部の開放を防止することで、利用者が下部からベッドの外側に向けて身体の一部を突出させることを未然に防ぐことができる。
【０１１３】
第１の係止部材１５０及び第２の係止部材１５２は、マグネットの他にスナップやホックなどにすることができる。たとえば、第１の係止部材１５０をスナップやホックなどの凸部材にし、第２の係止部材１５２を凹部材にすることができる。このように構成しても、第１の平面部１０２と第２の平面部１０４とを的確に係合させることができる。
【０１１４】
また、第１の係止部材１５０及び第２の係止部材１５２をボタンとボタンホールにすることもできる。たとえば、第１の係止部材１５０をボタンにし、第２の係止部材１５２をボタンホールにすることができる。このように構成しても、第１の平面部１０２と第２の平面部１０４とを的確に係合させることができる。
【０１１５】
＜＜第２のカバー部２００＞＞
図４は、第２のカバー部２００の正面図（ａ）及び背面図（ｂ）並びに断面図（ｃ）である。第２のカバー部２００は、延出部２０８（２０８ａ及び２０８ｂ）を除いて、第１のカバー部１００とほぼ同様の構成を有する。
＜第１の平面部２０２及び第２の平面部２０４＞
図４に示すように、第２のカバー部２００は、第１の平面部２０２及び第２の平面部２０４を有する。第１の平面部２０２及び第２の平面部２０４が、第２のカバー部２００のおおよその部分を構成する。第２のカバー部２００が第２の側柵５７０に取り付けられたときには、第１の平面部２０２及び第２の平面部２０４は、共に、略平面状の形状となるとともに、互いに向かい合う。第２のカバー部２００が第２の側柵５７０に取り付けられたときには、第２のカバー部２００は第２の側柵５７０によって懸装され、第１の平面部２０２及び第２の平面部２０４は懸垂する。
【０１１６】
第２のカバー部２００が第２の側柵５７０に取り付けられて、第１の平面部２０２及び第２の平面部２０４が懸垂したときには、第１の平面部２０２及び第２の平面部２０４は、第２の側柵５７０の最下部に到達する。
【０１１７】
＜接合端部２０６＞
図４に示すように、第２のカバー部２００は接合端部２０６を有する。接合端部２０６は、第１の平面部２０２と第２の平面部２０４とを互いに接合する。接合端部２０６は、略直線状の形状を有する。本実施の形態で、第２のカバー部２００が第２の側柵５７０に取り付けられたときには、接合端部２０６は、第２のカバー部２００の上端に位置し上端部となる。
【０１１８】
本実施の形態では、第１の平面部２０２及び第２の平面部２０４並びに接合端部２０６は、一体的に形成されている。なお、最終的に第２のカバー部２００として一体的に形成されていればよく、第１の平面部２０２及び第２の平面部２０４並びに接合端部２０６の各々を別体に構成し、これらを縫い合わせるなどの接合処理によって、最終的に一体的に形成するようにしてもよい。
【０１１９】
上述したように、第１のカバー部１００が第１の側柵５５０に取り付けられ、第２のカバー部２００が第２の側柵５７０に取り付けられ、第１のカバー部１００及び第２のカバー部２００が、接続部３００によって接続されたときには、接合端部１０６及び接合端部２０６は、共に上端部になるとともに、略直線状に位置する。
【０１２０】
＜自由端部２１０（２１０ａ及び２１０ｂ）＞
図４に示すように、第２のカバー部２００は自由端部２１０を有する。第１の平面部２０２は自由端部２１０ａを有し、第２の平面部２０４は自由端部２１０ｂを有する。自由端部２１０ａ及び自由端部２１０ｂは、共に、略直線状の形状を有する。本実施の形態で、第２のカバー部２００が第２の側柵５７０に取り付けられたときには、自由端部２１０ａ及び自由端部２１０ｂは、第２のカバー部２００の下端に位置し下端部となる。
【０１２１】
＜延出部２０８（２０８ａ及び２０８ｂ）＞
図４に示すように、第２のカバー部２００は、延出部２０８（２０８ａ及び２０８ｂ）を有する。本実施の形態では、延出部２０８ａは、第１の平面部２０２の一部であり、延出部２０８ｂは、第２の平面部１０４の一部である。したがって、延出部２０８ａ及び延出部２０８ｂは、接合端部２０６によって互いに接合されている。後述するように、第２のカバー部２００には、第１の係止端部２３０が形成されている。延出部２０８（２０８ａ及び２０８ｂ）は、第１の係止端部２３０から延出して延在する部分である。
【０１２２】
具体的には、第１の平面部２０２において、第１の係止端部２３０から延出して延在する部分が延出部２０８ａである。同様に、第２の平面部２０４において、第１の係止端部２３０から延出して延在する部分が延出部２０８ｂである。
【０１２３】
延出部２０８（２０８ａ及び２０８ｂ）は、第１の側柵５５０と第２の側柵５７０との間に生ずる間隙に応じて適宜定めればよい。第１の側柵５５０と第２の側柵５７０との間の間隙が長い場合には、延出部２０８（２０８ａ及び２０８ｂ）も長くすればよい。また、第１の側柵５５０と第２の側柵５７０との間の間隙が短い場合には、延出部２０８（２０８ａ及び２０８ｂ）も短くすればよい。したがって、第１の側柵５５０と第２の側柵５７０との間に生ずる間隙が短い場合は、延出部２０８（２０８ａ及び２０８ｂ）は、接続部材２１４を取り付けるための部材として機能する。
【０１２４】
さらに、第１の側柵５５０と第２の側柵５７０との間に生ずる間隙が極端に短い場合には、後述するスライドファスナー２１６の第１のエレメント２１８のテープ状の基材２１９を延出部２０８（２０８ａ及び２０８ｂ）とすることができる。このように構成した場合には、延出部２０８ａは、第１の平面部２０２の一部ではなくなるとともに、延出部２０８ｂは、第２の平面部２０４の一部ではなくなる。しかしながら、延出部２０８（２０８ａ及び２０８ｂ）としてテープ状の基材２１９が、第１の係止端部２３０から直接延出して延在する部分であればよい。
【０１２５】
第１のカバー部１００が第１の側柵５５０に取り付けられたときには、第１のカバー部１００の延出部１０８（１０８ａ及び１０８ｂ）は、第２の側柵５７０（第２のカバー部２００）に向かって延出する。同様に、第２のカバー部２００が第２の側柵５７０に取り付けられたときには、第２のカバー部２００の延出部２０８（２０８ａ及び２０８ｂ）は、第１の側柵５５０（第１のカバー部１００）に向かって延出する。
【０１２６】
したがって、第１のカバー部１００が第１の側柵５５０に取り付けられ、第２のカバー部２００が第２の側柵５７０に取り付けられたときには、第１のカバー部１００の延出部１０８（１０８ａ及び１０８ｂ）は、第２のカバー部２００の延出部２０８（２０８ａ及び２０８ｂ）に向かって延出し、第２のカバー部２００の延出部２０８（２０８ａ及び２０８ｂ）は、第１のカバー部１００の延出部１０８（１０８ａ及び１０８ｂ）に向かって延出する。
【０１２７】
＜接続端部２１２ａ及び接続端部２１２ｂ＞
延出部２０８ａは接続端部２１２ａを有する。延出部２０８ｂは接続端部２１２ｂを有する。接続端部２１２ａ及び接続端部２１２ｂは、共に、略同一の形状、具体的には、略直線状に形成されている。接続端部２１２ａ及び接続端部２１２ｂは、互いに向かい合うように形成されている。
【０１２８】
図４（ａ）に示すように、延出部２０８ａにおいては、自由端部２１０ａ（下端部）で第１の係止端部２３０から延出する部分の長さは、接合端部２０６（上端部）で第１の係止端部２３０から延出する部分の長さよりも長い。同様に、図４（ｂ）に示すように、延出部２０８ｂにおいては、自由端部２１０ｂ（下端部）で第１の係止端部２３０から延出する部分の長さは、接合端部２０６（上端部）で第１の係止端部２３０から延出する部分の長さよりも長い。
【０１２９】
このように、延出部２０８ａでも延出部２０８ｂでも、自由端部２１０ａ（下端部）で第１の係止端部２３０から延出する部分の長さは、接合端部２０６（上端部）で第１の係止端部２３０から延出する部分の長さよりも長くなるように形成されている。このようにすることで、第２のカバー部２００が第２の側柵５７０に取り付けられたときには、延出部２０８の下端部（自由端部２１０）は、上端部（接合端部２０６）よりも突出する。第１のカバー部１００と第２のカバー部２００とでは、上端部の長さと下端部の長さとの長短が逆になるように形成されている。このようにすることで、第１のカバー部１００と第２のカバー部２００との相違を明確に示すことができる。
【０１３０】
＜接続部材２１４＞
接続端部２１２ａ及び接続端部２１２ｂには、長手方向に沿って、接続部材２１４が設けられている。本実施の形態では、接続部材２１４として、スライドファスナー（線ファスナー）２１６が取り付けられている。スライドファスナー２１６は、接続端部２１２ａの自由端部２１０ａ側のファスナー端部２２２ａから、接合端部２０６を経由して、接続端部２１２ｂの自由端部２１０ｂ側のファスナー端部２２２ｂに至るまで、取り付けられている。
【０１３１】
スライドファスナー２１６は、第２のエレメント２１８を有する。スライドファスナー２１６には、スライダーは設けられていない。
【０１３２】
上述したように、第２のカバー部２００が第２の側柵５７０に取り付けられて、第１の平面部２０２及び第２の平面部２０４が懸垂したときには、第１の平面部２０２及び第２の平面部２０４は、第２の側柵５７０の最下部に到達する。すなわち、第１の平面部２０２は、接合端部２０６から自由端部２１０ａまでの長さが、第２の側柵５７０の高さよりも長くなるように形成されている。同様に、第２の平面部２０４は、接合端部２０６から自由端部２１０ｂまでの長さが、第２の側柵５７０の高さと同じ又は長くなるように形成されている。
【０１３３】
後述する図５及び図６に示すように、第２の側柵５７０は、ベッド５００のサイドフレーム５１８に取り付けられる。第２の側柵５７０は、上端部５７８を有する。第２のカバー部２００は上端部５７８から懸垂される。本実施の形態において、第２の側柵５７０の高さとは、サイドフレーム５１８から上端部５７８までの長さをいう。したがって、第１の平面部２０２の接合端部２０６から自由端部２１０ａまでの長さが、サイドフレーム５１８から上端部５７８までの長さと同じ又は長くなるように、第２のカバー部２００は形成されている。同様に、第２の平面部２０４の接合端部２０６から自由端部２１０ｂまでの長さは、サイドフレーム５１８から上端部５７８までの長さと同じ又は長くなるように、第２のカバー部２００は形成されている。
【０１３４】
このようにすることで、第２のカバー部２００が第２の側柵５７０に取り付けられたときには、第２の側柵５７０の下部に間隙が生ずることはない。
【０１３５】
＜第１の係止端部２３０＞
第２のカバー部２００は、第１の係止端部２３０を有する。本実施の形態では、第１の係止端部２３０は、第１の平面部２０２と第２の平面部２０４とを互いに縫い合わせることによって形成される。具体的には、第１の平面部２０２と第２の平面部２０４とを、接合端部２０６（上端部）から自由端部２１０（下端部）まで、縫い合わせることによって形成される。
【０１３６】
第２のカバー部２００が第２の側柵５７０に取り付けられたときには、第１の係止端部２３０は、第２の側柵５７０の第１の側端部５８０によって係止される。これにより、第２のカバー部２００が、第２の側柵５７０に対して変位したり、第２の側柵５７０から外れたりすることを防止することができる。
【０１３７】
上述したように、第２のカバー部２００は、延出部２０８（２０８ａ及び２０８ｂ）を有する。延出部２０８は、第１の係止端部２３０から延出して延在する部分である。すなわち、第１の係止端部２３０によって、延出部２０８を画定することができる。
【０１３８】
＜第２の係止端部２４０＞
第２のカバー部２００は、第２の係止端部２４０を有する。本実施の形態では、第２の係止端部２４０も、第１の平面部２０２と第２の平面部２０４とを互いに縫い合わせることによって形成される。具体的には、第２のカバー部２００の接続端部２１２の反対側の端部において、第１の平面部２０２と第２の平面部２０４とを、接合端部２０６（上端部）から自由端部２１０（下端部）まで、縫い合わせることによって形成される。
【０１３９】
第２のカバー部２００が第２の側柵５７０に取り付けられたときには、第２の係止端部２４０は、第２の側柵５７０の第２の側端部５８２によって係止される。これにより、第２のカバー部２００が、第２の側柵５７０に対して変位したり、第２の側柵５７０から外れたりすることを防止することができる。
【０１４０】
＜第１の係止端部２３０及び第２の係止端部２４０による係止＞
上述したように、第２のカバー部２００は、第１の係止端部２３０と第２の係止端部２４０と接合端部２０６とを有する。これらの第１の係止端部２３０と第２の係止端部２４０と接合端部２０６とによって、第２のカバー部２００を略袋状の形状に形成することができる。また、自由端部２１０（２１０ａ及び２１０ｂ）によって、第２のカバー部２００の開口２６０とすることができる。
【０１４１】
すなわち、第２のカバー部２００を開口２６０から第２の側柵５７０の上端部５７８に被せていくことによって、第２のカバー部２００を第２の側柵５７０に取り付けることができる。
【０１４２】
また、第２のカバー部２００を第２の側柵５７０に取り付けたときには、第１の係止端部２３０及び第２の係止端部２４０によって、第２のカバー部２００は第２の側柵５７０によって係止される。したがって、第２のカバー部２００を第２の側柵５７０に取り付けた状態で、第１のカバー部１００の第１のエレメント１１８と第２のカバー部２００の第２のエレメント２１８との咬合を解除することができる。すなわち、第２のカバー部２００を第２の側柵５７０に取り付けた状態のままで、第１のカバー部１００と第２のカバー部２００とを分離することができる。したがって、第２のカバー部２００を第２の側柵５７０に取り付けた状態で、第２の側柵５７０をベッド５００から外すことができる。
【０１４３】
このため、第２のカバー部２００を取り外すことなく第２の側柵５７０をベッド５００から外すことができ、作業が煩雑になることを防止でき、作業の効率を高めることができる。
【０１４４】
＜＜係止部材２５０及び２５２＞＞
第１の平面部２０２は、下部に第１の係止部材２５０を有する。第２の平面部２０４は、下部に第２の係止部材２５２を有する。第１の係止部材２５０と第２の係止部材２５２とは互いに係止し合う。図２及び図４に示すように、第１の係止部材２５０は第１の平面部２０２の下部に、複数個、たとえば、３個設けられており、第２の係止部材２５２は第２の平面部２０４の下部に、複数個、たとえば、３個設けられている。これらの複数の第１の係止部材２５０及び第２の係止部材２５２は、互いに対応する位置に設けられている。
【０１４５】
第１の係止部材２５０及び第２の係止部材２５２は、第２の側柵５７０を構成する枠用パイプ５７６などの各種のパイプの間に形成された間隙に位置するように設ければよい。パイプの間に形成された間隙を介して、第１の係止部材２５０と第２の係止部材２５２とを係止させることができる。
【０１４６】
第１の係止部材２５０及び第２の係止部材２５２は、たとえば、マグネットなどにすることができる。たとえば、第１の係止部材２５０のマグネットは、第２の係止部材２５２に向かってＳ極になるようにし、第２の係止部材２５２のマグネットは、第１の係止部材２５０に向かってＮ極になるようにする。このようにすることで、マグネットのＳ極とＮ極とが向かい合うように配置することができ、第１の係止部材２５０及び第２の係止部材２５２が係止するようにできる。第１の係止部材２５０及び第２の係止部材２５２の係止によって、第１の平面部２０２と第２の平面部２０４と係合させることができる。第１の平面部２０２と第２の平面部２０４とを係合させることによって、第２のカバー部２００が捲れたりずれたりすることを防止できる。これにより、第２の側柵５７０の下部や、第１の側柵５５０及び第２の側柵５７０の間隙Ａの下部が開放することを防止することができる。下部の開放を防止することで、利用者が下部からベッドの外側に向けて身体の一部を突出させることを未然に防ぐことができる。
【０１４７】
第１の係止部材２５０及び第２の係止部材２５２は、マグネットの他にスナップやホックなどにすることができる。たとえば、第１の係止部材２５０をスナップやホックなどの凸部材にし、第２の係止部材２５２を凹部材にすることができる。このように構成しても、第１の平面部２０２と第２の平面部２０４とを的確に係合させることができる。
【０１４８】
また、第１の係止部材２５０及び第２の係止部材２５２をボタンとボタンホールにすることもできる。たとえば、第１の係止部材２５０をボタンにし、第２の係止部材２５２をボタンホールにすることができる。このように構成しても、第１の平面部２０２と第２の平面部２０４とを的確に係合させることができる。
【０１４９】
＜＜第１のカバー部１００と第２のカバー部２００との相違＞＞
上述した例では、接続部材１１４及び接続部材２１４として、スライドファスナー（線ファスナー）を用いた場合を示した。この接続部材１１４及び接続部材２１４として、各種のファスナーを用いることができる。ファスナーは、スライドファスナーのほか、面ファスナーや、スナップや、ホックや、フック型止め具などにすることができる。さらに、そのほか、接続部材１１４及び接続部材２１４として、ボタンとボタンホールなどにすることもできる。
【０１５０】
いずれの種類のファスナーを用いた場合でも、係合状態と非係合状態とを実現するために、雌部材と雄部材などのように互いに係合しあう異なる部材を接続部材１１４及び接続部材２１４として用いる必要がある。すなわち、係合しあう異なる部材を対にして用いる必要がある。このように構成するため、雌部材同士となった場合や雄部材同士となった場合には、係合させることはできない。
【０１５１】
本実施の形態による第１のカバー部１００及び第２のカバー部２００の場合には、第１のカバー部１００のスライドファスナー１１６と第２のカバー部２００のスライドファスナー２１６とが必ず対になる必要がある。第１のカバー部１００のスライドファスナー１１６同士や、第２のカバー部２００のスライドファスナー２１６同士では咬合させることはできない。
【０１５２】
第１のカバー部１００及び第２のカバー部２００を使う現場では、各種の医療行為や介護行為などで多忙を極め、第１のカバー部１００と第２のカバー部２００との対を確認することが煩雑になることが想定される。したがって、第１のカバー部１００と第２のカバー部２００との区別を容易にできるものが好ましい。
【０１５３】
上述したように、第１のカバー部１００の延出部１０８の上端部（接合端部１０６）は、下端部（自由端部１１０）よりも突出する。また、第２のカバー部２００の延出部２０８の下端部（自由端部２１０）は、上端部（接合端部２０６）よりも突出する。このように、第１のカバー部１００と第２のカバー部２００とでは、上端部の長さと下端部の長さとの長短が逆になるように形成されている。
【０１５４】
このように、上端部の長さと下端部の長さとによって、第１のカバー部１００と第２のカバー部２００とを容易に識別することができ、第１のカバー部１００のスライドファスナー１１６と第２のカバー部２００のスライドファスナー２１６との対を容易に組みあわせることができるので、現場での作業を簡便にしたり簡略にしたりすることができる。
【０１５５】
また、第１のカバー部１００の少なくとも一部に第１の色を発する布を付し、第２のカバー部２００の少なくとも一部に第１の色とは異なる第２の色を発する布を付すようにしてもよい。このようにすることで、第１のカバー部１００及び第２のカバー部２００を色によって識別することができ、現場での作業を簡便にしたり簡略にしたりすることができる。
【０１５６】
さらに、第１のカバー部１００のスライドファスナー１１６の第１のエレメント１１８は、テープ状の基材１１９を介して第１の延出部１０８ａ及び１０８ｂに取り付けられている。同様に、第２のカバー部２００のスライドファスナー２１６の第２のエレメント２１８は、テープ状の基材２１９を介して第２の延出部２０８ａ及び２０８ｂに取り付けられている。このテープ状の基材１１９の色を第１の色にし、テープ状の基材２１９の色を第１の色とは異なる第２の色にしてもよい。
【０１５７】
スライドファスナー１１６の基材１１９の色と、スライドファスナー２１６の基材２１９の色とを異ならしめることによって、スライドファスナー１１６とスライドファスナー２１６との対を明確に識別することができる。特に、基材１１９と基材２１９とは、スライドファスナー１１６及びスライドファスナー２１６を介して隣り合うので、識別部分を探すことなく迅速に判別することができる。
【０１５８】
また、基材１１９及び基材２１９のみを異ならしめればよいので、第１のカバー部１００と第２のカバー部２００とを同じ素材で製造することができ、製造工程を簡便かつ容易にすることもできる。特に、カメラなどの受光装置を用いて基材１１９と基材２１９との相違によって、第１のカバー部１００と第２のカバー部２００との相違を判別でき、第１のカバー部１００及び第２のカバー部２００の製造工程の管理も容易に行うこともできる。
【０１５９】
＜＜ベッド５００＞＞
図５は、ベッド５００の概略を示す側面図である。図６は、ベッド５００の第１の側柵５５０及び第２の側柵５７０の概略を示す斜視図である。
【０１６０】
＜ヘッドボード５１２、フットボード５１４、フレーム５１６＞
ベッド５００は、ヘッドボード５１２とフットボード５１４とフレーム５１６を有する。ヘッドボード５１２は、フレーム５１６の長手方向の頭部側に設けられている。フットボード５１４は、フレーム５１６の長手方向の足部側に設けられている。ヘッドボード５１２及びフットボード５１４は、略平板状の板材によって形成することができる。また、ヘッドボード５１２及びフットボード５１４は、金属製又は樹脂製の複数本のパイプを連結することにより形成することもできる。
【０１６１】
＜第１の側柵５５０及び第２の側柵５７０＞
フレーム５１６の両側部に配置されたサイドフレーム５１８の各々には、複数個、たとえば、第１の側柵５５０及び第２の側柵５７０が設けられている。ベッド５００の両側に第１の側柵５５０及び第２の側柵５７０を設けたことにより、ベッド５００の側部から利用者が転落することを防止する。
【０１６２】
図５及び図６に示すように、本実施の形態では、第１の側柵５５０及び第２の側柵５７０は、金属製又は樹脂製の複数本のパイプを連結することにより形成されている。第１の側柵５５０及び第２の側柵５７０を構成するパイプとパイプとの間には隙間が形成されている。
【０１６３】
＜第１の側柵５５０＞
第１の側柵５５０は、２本の支持用パイプ５５２及び５５４を有する。２本の支持用パイプ５５２及び５５４は、第１の側柵５５０をサイドフレーム５１８に着脱可能に取り付けるための支持用のパイプである。
【０１６４】
第１の側柵５５０は、枠状に曲成された枠用パイプ５５６を有する。枠用パイプ５５６は略長方形状の形状を有する。枠用パイプ５５６は、上端部５５８と第１の側端部５６０と第２の側端部５６２とを有する。
【０１６５】
第１の側柵５５０は、枠用パイプ５５６の中央部の隙間を狭めるとともに枠用パイプ５５６を補強するための補強パイプ５６４も有する。
【０１６６】
＜第２の側柵５７０＞
第２の側柵５７０も第１の側柵５５０と同様の構造を有する。第２の側柵５７０は、２本の支持用パイプ５７２及び５７４を有する。２本の支持用パイプ７５２及び５７４は、第２の側柵５７０をサイドフレーム５１８に着脱可能に取り付けるための支持用のパイプである。
【０１６７】
第２の側柵５７０は、枠状に曲成された枠用パイプ５７６を有する。枠用パイプ５７６は略長方形状の形状を有する。枠用パイプ５７６は、上端部５７８と第１の側端部５８０と第２の側端部５８２とを有する。
【０１６８】
第２の側柵５７０は、枠用パイプ５７６の中央部の隙間を狭めるとともに枠用パイプ５７６を補強するための補強パイプ５８４も有する。
【０１６９】
なお、第１の側柵５５０及び第２の側柵５７０として、略平板状の板材によって形成したものを用いてもよい。
【０１７０】
図５及び図６に示すように、第１の側柵５５０と第２の側柵５７０はとの間には、間隙Ａが形成されている。第１の側柵５５０に第１のカバー部１００を取り付けて、第２の側柵５７０に第２のカバー部２００を取り付けて、第１のカバー部１００と第２のカバー部２００とを接続して連結することにより、第１のカバー部１００の一部と第２のカバー部２００の一部とを間隙Ａに位置づけることができる。このようにすることで、利用者の身体が間隙Ａに位置することを防止することができる。
【０１７１】
＜＜＜第１のカバー部１００及び第２のカバー部２００を取り付けた状態＞＞＞
図７は、本実施の形態によるベッドの側柵用カバー体が取り付けられた状態を示す斜視図である。なお、図７では、第１のカバー部１００及び第２のカバー部２００を実線で示した。第１の側柵５５０、第２の側柵５７０及びベッド５００のサイドフレーム５１８をかくれ線として破線で示した。
【０１７２】
図７に示すように、第１の側柵５５０及び第２の側柵５７０はベッド５００のフレーム５１８に取り付けられる。第１のカバー部１００は、第１の側柵５５０に取り付けられる。第２のカバー部２００は、第１の側柵５７０に取り付けられる。
【０１７３】
第１のカバー部１００が第１の側柵５５０に取り付けられたときには、第１のカバー部１００の延出部１０８（１０８ａ及び１０８ｂ）は、第２の側柵５７０（第２のカバー部２００）に向かって延出する。同様に、第２のカバー部２００が第２の側柵５７０に取り付けられたときには、第２のカバー部２００の延出部２０８（２０８ａ及び２０８ｂ）は、第１の側柵５５０（第１のカバー部１００）に向かって延出する。
【０１７４】
したがって、第１のカバー部１００が第１の側柵５５０に取り付けられ、第２のカバー部２００が第２の側柵５７０に取り付けられたときには、第１のカバー部１００の延出部１０８（１０８ａ及び１０８ｂ）は、第２のカバー部２００の延出部２０８（２０８ａ及び２０８ｂ）に向かって延出し、第２のカバー部２００の延出部２０８（２０８ａ及び２０８ｂ）は、第１のカバー部１００の延出部１０８（１０８ａ及び１０８ｂ）に向かって延出する。
【０１７５】
このようにすることで、第１のカバー部１００の延出部１０８のスライドファスナー１１６と第２のカバー部２００の延出部２０８のスライドファスナー２１６とは、向かい合うように配置することができ、スライダー１２０によって、スライドファスナー１１６とスライドファスナー２１６とを咬合させることができる。また、スライドファスナー１１６とスライドファスナー２１６との咬合を解除することができる。
【０１７６】
具体的には、第１のカバー部１００と第２のカバー部２００とを連結して接続させる場合には、スライダー１２０を、ファスナー端部１２２ｂから、接合端部１０６を経由して、ファスナー端部１２２ａまで移動させる。これにより、第１のエレメント１１８と第２のエレメント２１８とを咬合させることができ、第１のカバー部１００と第２のカバー部２００とを連結することができる。これにより、図１や図２に示すように、一体のベッドの側柵用カバー体１０にすることができる。
【０１７７】
また、第１のカバー部１００と第２のカバー部２００とを分離させる場合には、スライダー１２０を、ファスナー端部１２２ａから、接合端部１０６を経由して、ファスナー端部１２２ｂまで移動させる。これにより、第１のエレメント１１８と第２のエレメント２１８との咬合を解除することができ、第１のカバー部１００と第２のカバー部２００とを分離することができる。これにより、一体のベッドの側柵用カバー体１０から、別体の第１のカバー部１００と第２のカバー部２００とにすることができる。
【０１７８】
上述したように、第１のカバー部１００と第２のカバー部２００とを連結して、一体のベッドの側柵用カバー体１０にした場合には、スライダー１２０はファスナー端部１２２ａに位置することになる。すなわち、スライダー１２０は、ベッド５００の外側に位置することになる。スライダー１２０をベッド５００の外側に位置させることによって、医療従事者や施設の担当者などがスライダー１２０の操作をしやすくすることができ、各種の作業を簡便にすることができる。
【０１７９】
また、スライダー１２０をベッド５００の外側に位置させることで、ベッドの利用者はスライダー１２０を操作しにくくすることができる。これにより、第１のカバー部１００と第２のカバー部２００との連結状態を保持することができ、ベッドの利用者の安全を確保することができる。
【０１８０】
第１のカバー部１００と第２のカバー部２００とを連結したときには、第１のカバー部１００の延出部１０８及び第２のカバー部２００の延出部２０８は、第１の側柵５５０と第２の側柵５７０との間に生じた間隙Ａに位置する。このように、第１のカバー部１００の延出部１０８及び第２のカバー部２００の延出部２０８によって、第１の側柵５５０と第２の側柵５７０との間の間隙Ａを閉塞することができる。これによって、第１の側柵５５０と第２の側柵５７０との間の間隙Ａに、利用者の身体が位置することを防ぐことができる。
【０１８１】
＜＜＜その他の形態＞＞＞
なお、上述した例では、第１のカバー部１００及び第２のカバー部２００の断面が略Ｕ字状になる場合を示した。すなわち、接合端部１０６及び接合端部２０６が湾曲する形状を有する場合を示したが、接合端部１０６及び接合端部２０６が折れた形状となるようなものでもよい。
【符号の説明】
【０１８２】
１０  ベッドの側柵用カバー体
１００  第１のカバー部
２００  第２のカバー部
３００  接続部
５００  ベッド
【図１】
2014113201.tif 000003
【図２】
2014113201.tif 000004
【図３】
2014113201.tif 000005
【図４】
2014113201.tif 000006
【図５】
2014113201.tif 000007
【図６】
2014113201.tif 000008
【図７】
2014113201.tif 000009